(57)【要約】      （修正有）【課題】複数の弾性プレス被加工材を含むコネクタに組み合わせられたワンタッチ式プレスアセンブリを提供する。【解決手段】ワンタッチ式プレスアセンブリ１２は、１つの本体１２２と、１つの補強リブ１２４及び本体の側面に形成されるバリア１２６、１２８を備える。本体は、１つのプレス面ＰＳと１つの接触面ＴＳを形成する。補強リブは、プレス面と接触面に形成される。補強リブとプレス面とは、１つの段差を有する。バリアは、本体の側面に形成される。バリアは、プレス面から伸び、その自由端が一定の角度で曲げられる。【選択図】図１
0003225444.tif 000002
【実用新案登録請求の範囲】
【請求項１】
複数の弾性プレス被加工材を含むコネクタに組み合わせられたワンタッチ式プレスアセンブリであって、
プレス面と接触面が形成される本体と、
前記プレス面と前記接触面に形成され、前記プレス面と段差を有する補強リブと、
前記本体の側面に形成され、前記プレス面から伸びられ、かつ自由端が一定の角度で曲げられるバリアと、
を備えることを特徴とするワンタッチ式プレスアセンブリ。
【請求項２】
前記補強リブの高さは、前記プレス面より高いことを特徴とする請求項１に記載のワンタッチ式プレスアセンブリ。
【請求項３】
前記補強リブは、前記プレス面に突出し、かつ前記接触面に凹むように形成されることを特徴とする請求項１に記載のワンタッチ式プレスアセンブリ。
【請求項４】
前記複数の弾性プレス被加工材を接合するために、前記接触面に形成された接合層と、を更に備えることを特徴とする請求項１に記載のワンタッチ式プレスアセンブリ。
【請求項５】
フラットケーブルに適用されたコネクタであって、
収容空間と第一のブレークホールと第二のブレークホールと挿入口とが形成されており、前記第一のブレークホール、前記第二のブレークホール及び前記挿入口がそれぞれ前記収容空間と外部空間とを連通し、前記第一のブレークホールと前記第二のブレークホールが両側にそれぞれ形成されたハウジングと、
前記収容空間に設けられ、前記フラットケーブルに電気的に接続された端子と、
前記収容空間に設けられ、前記ハウジングの一方の側縁に隣接され、かつ上縁部分が前記第一のブレークホールに突出する第一の弾性ロック部と、
前記収容空間に設けられ、前記ハウジングの他方の側縁に隣接され、かつ上縁部分が前記第二のブレークホールに突出する第二の弾性ロック部と、
前記第一の弾性ロック部の一方側と前記第二の弾性ロック部の一方側に設けられ、本体と、補強リブと、バリアとを有し、前記補強リブが、前記本体のプレス面と接触面に形成され、前記バリアが、前記本体の側面に形成され、且つ前記プレス面から伸びられ、前記補強リブと前記プレス面とが段差を有し、前記バリアの自由端が一定の角度で曲げられたワンタッチ式プレスアセンブリと、
を備え、
前記フラットケーブルを前記挿入口に挿入して前記第一の弾性ロック部と前記第二の弾性ロック部を変形させることで、前記フラットケーブルが前記収容空間にロックされ、
外力が前記ワンタッチ式プレスアセンブリに加えられて前記第一の弾性ロック部と前記第二の弾性ロック部を変形させることで、前記フラットケーブルが前記収容空間での前記ロックを解除されて前記収容空間から退避されることを特徴とするコネクタ。
【請求項６】
前記補強リブの高さは、前記プレス面より高いことを特徴とする請求項５に記載のコネクタ。
【請求項７】
前記補強リブは、前記プレス面に突出し、前記接触面に凹むように形成されることを特徴とする請求項５に記載のコネクタ。
【請求項８】
前記第一の弾性ロック部と前記第二の弾性ロック部とを接合するように前記接触面に形成される接合層と、を更に備えることを特徴とする請求項５に記載のコネクタ。
【請求項９】
前記接合層は、接着、貼り合わせ、係合、ロック、溶接、磁気吸着又はレーザースポット溶接によって形成されることを特徴とする請求項８に記載のコネクタ。
【請求項１０】
前記ワンタッチ式プレスアセンブリの材質は、金属であることを特徴とする請求項５に記載のコネクタ。
【考案の詳細な説明】
【技術分野】
【０００１】
本考案は、コネクタの技術領域に関わり、特にツーピース式プレス構造のワンタッチ式プレスアセンブリ及びコネクタに関するものである。
【背景技術】
【０００２】
コネクタは、ケーブルと回路基板の素子とを接続し、その利点としては、物理的なはんだ付けの方式がなくても回路基板に接続可能で、使用者が容易に抜き差しによって電気的な接続を実現できる。
【０００３】
コネクタをケーブルに確実に接触させるために、多種の自動ロック方式が開発されており、コネクタとケーブルとを脱落させずに容易に接続することができる、かつ前記の作動は、ケーブルがコネクタに挿入される過程で、コネクタとケーブルとの接続を維持するために、自動的にロックされる。
【考案の概要】
【考案が解決しようとする課題】
【０００４】
しかしながら、従来はシングルエンドロック構造を介してケーブルのロックを行っており、電子製品の微細化に伴いコネクタも微細化されている。シングルエンドロック構造を採用すると、組み立て者にとって非常に不便であり、力を不均一に加えることにより、コネクタ又はケーブルや回路基板も破損しやすい。
更に、従来のシングルエンドロック構造は既に、既存の構造と製造工程に使われており、既存の金型や工程をどのように改善するかは重大な課題である。
【０００５】
この改善策として、本考案は、従来のコネクタの欠陥を解決するためのツーピース式プレス構造のワンタッチ式プレスアセンブリ及びコネクタを提供する。
【課題を解決するための手段】
【０００６】
本考案の第一の目的は、フラットケーブル（例えば、フレキシブルフラットケーブル（Ｆｌｅｘｉｂｌｅ  ｆｌａｔ  ｃａｂｌｅ，ＦＦＣ））又はフレキシブルプリント回路基板（Ｆｌｅｘｉｂｌｅ  Ｐｒｉｎｔｅｄ  Ｃｉｒｃｕｉｔ，ＦＰＣ）を自動的にロックするために、複数の弾性ロック部を有するコネクタに適用されるワンタッチ式プレスアセンブリを提供する。
【０００７】
本考案の第二の目的は、前記ワンタッチ式プレスアセンブリにより、強度を高めて加えられる外力を耐えることができるように、補強リブ（ｒｉｂ）及びバリア（ｂａｒｒｉｅｒ）を提供する。
【０００８】
本考案の第三の目的は、前記コネクタにより、フラットケーブルを自動的にロックするために、均一的な力を提供する。
【０００９】
以上の目的及び他の目的を達成するために、本考案は、複数の弾性プレス（ｐｒｅｓｓ）被加工材を含むコネクタに組み合わせられたワンタッチ式プレスアセンブリを提供する。前記ワンタッチ式プレスアセンブリは、１つの本体と、１つの補強リブと、１つのバリアとを備える。前記本体には、１つのプレス面と１つの接触面が形成される。前記補強リブは、前記プレス面と前記接触面に形成される。前記補強リブと前記プレス面とは、１つの段差を有する。前記バリアは、前記本体の側面に形成される。前記バリアは前記プレス面から伸びられ、その自由端が一定の角度で曲げられる。
【００１０】
以上の目的及び他の目的を達成するために、本考案は、１つのフラットケーブルに適用されるコネクタを提供する。前記コネクタは、１つのハウジングと、１つの端子と、１つの第一の弾性ロック部と、１つの第二の弾性ロック部及び１つのワンタッチ式プレスアセンブリを備える。前記ハウジングには、１つの収容空間と、１つの第一のブレークホールと、１つの第二のブレークホール及び１つの挿入口が形成される。前記第一のブレークホールと前記第二のブレークホール及び前記挿入口はそれぞれ、前記収容空間と前記ハウジングの１つの外部空間を連通する。前記第一のブレークホールと前記第二のブレークホールはそれぞれ、前記ハウジングの両側に形成される。前記端子は、前記収容空間に設けられて前記フラットケーブルに電気的に接続される。前記第一の弾性ロック部は、前記収容空間に設けられ、前記ハウジングの一方の側縁に隣接される。前記第一の弾性ロック部の上縁部分は、前記第一のブレークホールに突出している。前記第二の弾性ロック部は、前記収容空間に設けられ、前記ハウジングの他方の側縁に隣接される。前記第二の弾性ロック部の上縁部分は、前記第二のブレークホールに突出している。前記ワンタッチ式プレスアセンブリは、前記第一の弾性ロック部の一方側と前記第二の弾性ロック部の一方側に設けられる。前記ワンタッチ式プレスアセンブリは、１つの本体と、１つの補強リブ及び１つのバリアを含む。前記補強リブは、前記本体の１つのプレス面と１つの接触面に形成される。前記バリアは、前記本体の側面に形成され、前記プレス面から伸びられる。また、前記補強リブと前記プレス面とは１つの段差を有し、前記バリアの自由端が一定の角度で曲げられる。前記フラットケーブルを前記挿入口に挿入して前記第一の弾性ロック部と前記第二の弾性ロック部を変形させることで、前記フラットケーブルが前記収容空間にロックされ、外力が前記ワンタッチ式プレスアセンブリに加えられて前記第一の弾性ロック部と前記第二の弾性ロック部を変形させることで、前記フラットケーブルが前記収容空間での前記ロックを解除されて前記収容空間から退避される。
【００１１】
知られた技術に対して、プレス被加工材に力を均一的に加えるの目的を提供するために、ワンタッチ式プレスアセンブリは、複数の弾性プレス被加工材を含むコネクタに組み合わせてもよい、特に２つのプレス被加工材に適用される。
【００１２】
別の実施例において、本考案により提供されるコネクタは、フラットケーブルが自動的にコネクタの収容空間にロックされ、収容空間における端子と電気的に接続されることができるように、フラットケーブルに適用される。また、コネクタは、第一の弾性ロック部と第二の弾性ロック部が単独でロック解除及びロックの機能を実行できるほか、ワンタッチ式プレスアセンブリを介して第一の弾性ロック部と第二の弾性ロック部とを接合し、ワンタッチ式プレスアセンブリで第一の弾性ロック部と第二の弾性ロック部とを同時に駆動してロック解除及びロックの機能を実行できる。
【図面の簡単な説明】
【００１３】
【図１】図１は本考案の実施例にかかるワンタッチ式プレスアセンブリの構造を示す図である。
【図２】図２は本考案の実施例にかかるコネクタの構造を示す図である。
【図３】図３は本考案にかかるワンタッチ式プレスアセンブリとコネクタとを接合した組み立ての図である。
【考案を実施するための形態】
【００１４】
本考案の目的、特徴及び効果を十分に理解するために、以下の具体的な実施例及び図面により、本考案を詳しく説明する。
【００１５】
本考案において、「１つ」を使用して本明細書におけるユニットとアセンブリを記載する。これは説明しやすいためのみであり、かつ本考案の範囲に一般的な意義を提供する。よって、わざわざと別の意味を指摘しない限り、このような記載は、１つ、少なくとも１つを含み、かつ単数も同時に複数を含む。
【００１６】
本考案において、「含む」、「備える」、「有する」、「含まれる」の用語又は他の任意の類似用語は、非排他的なものをカバーすることを意図している。例を挙げると、複数の要素を含む１つのアセンブリと、構造と、製品又は装置は、本明細書で説明されるような要素に限らない、明確に説明されないが、当該アセンブリと、構造と、製品又は装置の一般的に固有する他の要素を含んでもよい。それ以外に、逆の明確な説明がない限り、用語「又は」は包括的な「又は」を指し、排他的な「又は」ではない。
【００１７】
図１は本考案の実施例にかかるワンタッチ式プレスアセンブリの構造を示す図である。図１において、ワンタッチ式プレスアセンブリ１２は、１つの本体１２２と、１つの補強リブ１２４と、１つのバリア１２６、１２８とを備える。本体１２２には、１つのプレス面ＰＳと１つの接触面ＴＳが形成される。本体１２２の材質は、金属材質であってもよい。
【００１８】
補強リブ１２４は、プレス面ＰＳと接触面ＴＳに形成される。補強リブ１２４とプレス面ＰＳとは、１つの段差を有する。よって、補強リブ１２４は、プレス工程によってプレス面ＰＳの一部をプレスして形成される、即ち、補強リブ１２４は、プレス面ＰＳに突出し、接触面ＴＳに凹むように形成される。別の実施例において、補強リブ１２４はプレス面ＰＳより低くてもよい。さらに、補強リブ１２４は、本体１２２の中央部に加えて、本体１２２の他の位置に形成されてもよい。
【００１９】
バリア１２６、１２８は、本体１２２の側方に形成される。バリア１２６は本体１２２の長辺に形成され、バリア１２８は本体１２２の短辺に形成される。また、バリア１２６、１２８は、プレス面ＰＳから伸びられ、その自由端が一定の角度で曲げられる。
【００２０】
図２は本考案の実施例にかかるコネクタの構造を示す図である。図２において、コネクタ１０は、ハウジング１０２と、端子１０４と、第一の弾性ロック部１０６及び第二の弾性ロック部１０８を備える。
【００２１】
ハウジング１０２には、１つの収容空間ＳＰと、１つの第一のブレークホール１０２２と、１つの第二のブレークホール１０２４及び１つの挿入口１０２６が形成される。ハウジング１０２の材質は、絶縁材料又は金属材料であってもよい。本実施例において、ハウジング１０２の形状は直方体であり、別の実施例において、ハウジング１０２の形状は必要に応じて弾性的に調整してもよい。また、第一のブレークホール１０２２と第二のブレークホール１０２４及び挿入口１０２６はそれぞれ、収容空間ＳＰとハウジング１０２の外部空間を連通する。よって、第一のブレークホール１０２２と第二のブレークホール１０２４はそれぞれ、ハウジング１０２の両側に形成される。
【００２２】
端子１０４は、フラットケーブル２の信号がデータの伝達に使用できるように、収容空間ＳＰに設けられてフラットケーブル２を電気的に接続する。
【００２３】
第一の弾性ロック部１０６と第二の弾性ロック部１０８とは、対称的な設置であり、同じ構造を有する。よって、第一の弾性ロック部１０６を例として説明するが、第二の弾性ロック部１０８は、対称的な関係により第一の弾性ロック部１０６と同じ構造と説明も同様に有する。第一の弾性ロック部１０６は収容空間ＳＰに設けられハウジング１０２に隣接され、かつ第一の弾性ロック部１０６の上縁部分は第一のブレークホール１０２２に突出している。実施例において、第一の弾性ロック部１０６は更に、例えば操作デバイス、ロック突起及び弾性アームなどの構造を含む、ここでは説明を省略する。
【００２４】
図３は本考案にかかるワンタッチ式プレスアセンブリとコネクタとを接合した組み立ての図である。図３において、ワンタッチ式プレスアセンブリ１２は、コネクタ１０の第一の弾性ロック部１０６と第二の弾性ロック部１０８に設けられる。コネクタ１０はフラットケーブル２に適用され、フラットケーブル２はコネクタ１０を介して回路基板４に接続される。
【００２５】
ワンタッチ式プレスアセンブリ１２とコネクタ１０との記載は前記実施例での説明のように、ここでは説明を省略する。
【００２６】
ワンタッチ式プレスアセンブリ１２を第一の弾性ロック部１０６および第二の弾性ロック部１０８と確実に接続させることができるために、ワンタッチ式プレスアセンブリ１２と第一の弾性ロック部１０６との間及び/又はワンタッチ式プレスアセンブリ１２と第二の弾性ロック部１０８との間に更に接合層（図示せず）を含む。接合層は、接触面ＴＳに形成されて第一の弾性ロック部１０６と第二の弾性ロック部１０８とを接合する。接合は、接着、貼り合わせ、係合、ロック、溶接、磁気吸着、レーザースポット溶接などの方式でもよい。
【００２７】
本実施例において、フラットケーブル２を挿入口１０２６に挿入して第一の弾性ロック部１０６と第二の弾性ロック部１０８を変形させることで、フラットケーブル２が収容空間ＳＰにロックされ、外力がワンタッチ式プレスアセンブリ１２の上縁部分に加えられて第一の弾性ロック部１０６と第二の弾性ロック部１０８を変形させることで、フラットケーブル２が前記収容空間ＳＰでの前記ロックを解除されて収容空間ＳＰから退避される。
【００２８】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００２９】
２…フラットケーブル
４…回路基板
１０…コネクタ
１０２…ハウジング
１０２２…第一のブレークホール
１０２４…第二のブレークホール
１０２６…挿入口
１０４…端子
１０６…第一の弾性ロック部
１０８…第二の弾性ロック部
１２…ワンタッチ式プレスアセンブリ
１２２…本体
１２４…補強リブ
１２６、１２８…バリア
ＰＳ…プレス面
ＴＳ…接触面
ＳＰ…収容空間
【図１】
0003225444.tif 000003
【図２】
0003225444.tif 000004
【図３】
0003225444.tif 000005